(57)【要約】      （修正有）【課題】様々な食品の様々な成分量を計量できる秤を提供する。【解決手段】秤１は、食品の重量を計量する計量装置５と、食品の単位重量当たりのカロリー量を入力する成分量入力手段６と、食品の総カロリー量を算出する成分量算出手段７と、算出手段で算出された総カロリー量を表示部に表示する成分量表示手段８とを備えている。計量装置５は、計量用皿に載置された食品の重量を計量する。成分量入力手段６は、「ＯＮ」キー，「ＯＦＦ」キーの押操作に応じてカロリー量を入力する。成分量算出手段７は、成分量入力手段６で入力されたカロリー量と計量装置５で計量された重量とに基づき、食品の総カロリー量を算出する。【選択図】図２
2013140092.tif 000002
【特許請求の範囲】
【請求項１】
食品の重量を計量する計量装置と、
前記食品の単位重量当たりに含まれる成分量を入力する成分量入力手段と、
前記成分量入力手段で入力された成分量と、前記計量装置で計量された重量とに基づき、前記食品の総成分量を算出する成分量算出手段と、
前記成分量算出手段で算出された総成分量を表示部に表示する成分量表示手段とを備えることを特徴とする秤。
【請求項２】
請求項１記載の秤において、
前記成分量がカロリー量であり、
基礎代謝カロリー量を入力する基礎代謝カロリー量入力手段と、
前記成分量算出手段で算出された前記食品の総カロリー量から前記基礎代謝カロリー量入力手段で入力された基礎代謝カロリー量を減算して得られるカロリー量が、歩数何歩での消費カロリー量に当たるかを算出する歩数算出手段と、
前記歩数算出手段で算出された歩数を表示部に表示する歩数表示手段とを備えることを特徴とする秤。
【請求項３】
請求項１または請求項２に記載の秤において、
前記成分量がカロリー量であり、
基礎代謝カロリー量を入力する基礎代謝カロリー量入力手段と、
歩数計から送信された歩数情報を受信する歩数情報受信手段と、
前記歩数情報受信手段が受信した歩数情報が示す歩数での消費カロリーが、前記成分量算出手段で算出された前記食品の総カロリー量から前記基礎代謝カロリー量入力手段で入力された基礎代謝カロリー量を減算して得られるカロリー量に達したことを報知する報知手段とを備えることを特徴とする秤。
【発明の詳細な説明】
【技術分野】
【０００１】
本発明は、食品に含まれる成分量に関連した情報を表示する秤に関する。
【背景技術】
【０００２】
下記の特許文献１では、食品名が入力されると、予め記憶されたその食品の成分データと、計量装置で計量された食品の重量データとから、食品の成分量を算出し、表示している。特許文献２では、摂取した食品名がカロリー量と共に入力されると食品群別に摂取カロリーが積算される。食品名等の入力の際には、入力を補助する画面が表示される。積算された摂取カロリーが食品群別に定められた１日の許容摂取カロリーを満たすと、その食品群に含まれる食品名の入力を補助する画面は表示されない。
【先行技術文献】
【非特許文献】
【０００３】
【特許文献１】特許第３６７５６３１号
【特許文献２】特許第３７４８００９号
【発明の概要】
【発明が解決しようとする課題】
【０００４】
特許文献１，２に記載の技術では、予め登録された食品名に基づき入力の補助が行われ、登録されていない食品名は入力できなかった。
【０００５】
本発明は斯かる課題に鑑みてなされたもので、上記課題を解決できる秤を提供することを目的とする。
【課題を解決するための手段】
【０００６】
このような目的を達成するために、本発明の秤は、食品の重量を計量する計量装置と、前記食品の単位重量当たりに含まれる成分量を入力する成分量入力手段と、前記成分量入力手段で入力された成分量と、前記計量装置で計量された重量とに基づき、前記食品の総成分量を算出する成分量算出手段と、前記成分量算出手段で算出された総成分量を表示部に表示する成分量表示手段とを備えることを特徴とする。
また、本発明は、前記成分量がカロリー量であり、基礎代謝カロリー量を入力する基礎代謝カロリー量入力手段と、前記成分量算出手段で算出された前記食品の総カロリー量から前記基礎代謝カロリー量入力手段で入力された基礎代謝カロリー量を減算して得られるカロリー量が、歩数何歩での消費カロリー量に当たるかを算出する歩数算出手段と、前記歩数算出手段で算出された歩数を表示部に表示する歩数表示手段とを備えることを特徴とする。
また、本発明は、前記成分量がカロリー量であり、基礎代謝カロリー量を入力する基礎代謝カロリー量入力手段と、歩数計から送信された歩数情報を受信する歩数情報受信手段と、前記歩数情報受信手段が受信した歩数情報が示す歩数での消費カロリーが、前記成分量算出手段で算出された前記食品の総カロリー量から前記基礎代謝カロリー量入力手段で入力された基礎代謝カロリー量を減算して得られるカロリー量に達したことを報知する報知手段とを備えることを特徴とする。
【発明の効果】
【０００７】
本発明によれば、計量する食品毎に単位重量当たりに含まれるカロリー量を入力すれば、どの食品でも総成分量を計量できるので、様々な食品の様々な成分量を計量できる。
【図面の簡単な説明】
【０００８】
【図１】本発明の第１の実施形態の秤を示す平面図である。
【図２】図１の秤の回路構成を示すブロック図である。
【図３】本発明の第２の実施形態の秤の回路構成を示すブロック図である。
【図４】本発明の第３の実施形態の秤の回路構成を示すブロック図である。
【発明を実施するための形態】
【０００９】
以下、図面を参照して、本発明の第１の実施形態を説明する。
【００１０】
図１に示す秤１は、計量用皿２に載置された食品の重量及び食品の総カロリー量を計量し、計量した重量及び総カロリー量を表示部３に表示する。
【００１１】
本体の表面には、電源を入れるための「ＯＮ」キー４１、電源を切るための「ＯＦＦ」キー４２、「カロリー選択」キー４３が設けられている。電源が入れられて計量用皿２に食品が載置された状態では、「ＯＮ」キー４１，「ＯＦＦ」キー４２の押操作で数値の入力が行われる。「カロリー選択」キー４３は、食品（図１では代表してごはん）のカロリー量の計量と食品の他の成分量の計量とを選択するために用いられる。秤１では、「カロリー選択」キー４３が押操作される度に、食品のカロリー量と食品の他の成分量とで計量される成分が切り替えられる。
【００１２】
図２は、秤１の回路構成を示すブロック図である。
秤１は、図２に示すように、食品の重量を計量する計量装置５と、食品の単位重量当たりの成分量を入力する成分量入力手段６と、食品の総成分量を算出する成分量算出手段７と、成分量算出手段７で算出された総成分量を表示部３に表示する成分量表示手段８とを備えている。
【００１３】
計量装置５は、計量用皿２に載置された食品の重量を計量する。成分量入力手段６は、「ＯＮ」キー４１，「ＯＦＦ」キー４２の押操作に応じて成分量を入力する。成分量算出手段７は、成分量入力手段６で入力された成分量と計量装置５で計量された重量とに基づき、食品の総成分量を算出する。
【００１４】
次に、秤１が食品の総成分量を計量する動作を説明する。
【００１５】
電源が入れられた状態で計量用皿２に食品が載置されると、「ＯＮ」キー４１，「ＯＦＦ」キー４２の押操作で数値入力できる状態となる。「ＯＮ」キー４１，「ＯＦＦ」キー４２が操作されると、成分量入力手段６がその操作で特定された成分量を入力し、表示部３には入力された数値が表示される。
【００１６】
成分量入力手段６により食品の単位重量当たりの成分量が入力されると、入力された成分量と計量装置５で計量された重量とに基づき、成分量算出手段７が食品の総成分量を算出する。算出された総成分量は、成分量表示手段８により表示部３に表示される。
【００１７】
本実施形態によれば、食品の単位重量当たりに含まれる成分量が成分量入力手段６で入力され、入力された成分量と計量装置５で計量された重量とに基づき食品の総成分量が算出されるので、計量する食品毎に単位重量当たりに含まれる成分量を入力すれば、どの食品でも総成分量を計量できる。このため、様々な食品の様々な成分量を計量できる。
【００１８】
次に、本発明の第２の実施形態を説明する。
本実施形態の秤１Ａは、第１の実施形態の秤１と同様の外観構成を備えているが、食品の総カロリー量から基礎代謝カロリー量を減算して得られるカロリー量が歩数何歩での消費カロリー量に相当するかを表示する機能を備えている。
【００１９】
図３は、秤１Ａの回路構成を示すブロック図である。秤１Ａは、上述した計量装置５、成分量入力手段６、成分量算出手段７の他に、基礎代謝カロリー量を入力する基礎代謝カロリー量入力手段９、歩数算出手段１０、及び歩数表示手段１１を備えている。
【００２０】
基礎代謝カロリー量入力手段９は、「ＯＮ」キー４１，「ＯＦＦ」キー４２の押操作に応じて基礎代謝カロリー量を入力する。歩数算出手段１０は、成分量算出手段７で算出された食品の総カロリー量から基礎代謝カロリー量入力手段９で入力された基礎代謝カロリー量を減算して得られるカロリー量が、歩数何歩での消費カロリー量に当たるかを算出する。歩数表示手段１１は、歩数算出手段１０で算出された歩数を表示部３に表示する。
【００２１】
次に、秤１Ａが歩数の表示を行う動作を説明する。
【００２２】
電源が入れられた状態で計量用皿２に食品が載置されて成分量入力手段６によりカロリー量が入力され、成分量算出手段７が食品の総カロリー量を算出すると、「ＯＮ」キー４１，「ＯＦＦ」キー４２の押操作で数値入力できる状態となる。「ＯＮ」キー４１，「ＯＦＦ」キー４２が操作されると、基礎代謝カロリー量入力手段９がその操作で特定された基礎代謝カロリー量を入力し、表示部３には入力された数値が表示される。
【００２３】
基礎代謝カロリー量入力手段９により基礎代謝カロリー量が入力されると、歩数算出手段１０は、総カロリー量から基礎代謝カロリー量を減算して得られるカロリー量が、歩数何歩での消費カロリー量に当たるかを算出する。本実施形態では、３０歩での消費カロリー量が約１キロカロリーとして歩数が算出される。算出された歩数は、歩数表示手段１１により表示部３に表示される。
【００２４】
本実施形態によれば、基礎代謝カロリー量入力手段９で基礎代謝カロリー量が入力されると、成分量算出手段７で算出された食品の総カロリー量から基礎代謝カロリー量を減算して得られるカロリー量が、歩数何歩での消費カロリー量に当たるかが表示される。
【００２５】
次に、本発明の第３の実施形態を説明する。
【００２６】
本実施形態の秤１Ｂは、第２の実施形態の秤１Ａと同様の外観構成を備えているが、歩数計１４で計数された歩数での消費カロリー量が、食品の総カロリー量から基礎代謝カロリー量を減算して得られるカロリー量に達したことを報知する機能を備えている。
【００２７】
図４は、秤１Ｂの回路構成を示すブロック図である。秤１Ｂは、上述した計量装置５、成分量入力手段６、成分量算出手段７、基礎代謝カロリー量入力手段９、歩数算出手段１０の他に、歩数情報受信手段１２、及び報知手段１３を備えている。
【００２８】
歩数情報受信手段１２は、歩数計１４から送信された歩数情報を受信する。歩数情報には、歩数計１４で計数された歩数の情報が含まれている。報知手段１３は、歩数情報受信手段１２で受信した歩数情報が示す歩数での消費カロリーが、成分量算出手段７が算出した総カロリー量に達しているか否かを判定し、達していればそのことを表示部３での表示により報知する。本実施形態では、報知手段１３は、歩数情報受信手段１２で受信した歩数情報に含まれる歩数が、歩数算出手段１０で算出した歩数に達したか否かを判別し、達していればそのことを表示部３での表示により報知する。
【００２９】
次に、秤１Ｂが歩数計１４から送信された歩数情報に基づき表示部３での報知を行う動作を説明する。
【００３０】
電源が入れられた状態で計量用皿２に食品が載置され、成分量入力手段６によりカロリー量が入力されると、食品の総カロリー量を成分量算出手段７が算出する。そして、基礎代謝カロリー量入力手段９により基礎代謝カロリー量が入力されると、総カロリー量から基礎代謝カロリー量を減算して得られるカロリー量が、歩数何歩での消費カロリー量に当たるかを歩数算出手段１０が算出する。
【００３１】
その後、歩数情報受信手段１２が歩数計１４から歩数情報を受信すると、報知手段１３は、歩数情報に含まれる歩数が歩数算出手段１０で算出した歩数に達したか否かを判別し、達していれば表示部３での報知を行う。
【００３２】
本実施形態によれば、歩数情報受信手段１２が歩数計１４から歩数情報を受信し、歩数情報が示す歩数での消費カロリーが、食品の総カロリー量から基礎代謝カロリー量を減算して得られるカロリー量に達していると、そのことが報知手段１３で報知される。
【００３３】
上記各実施形態では、「ＯＮ」キー４１，「ＯＦＦ」キー４２の操作で数値入力する場合について説明したが、カロリー量及び基礎代謝カロリー量の数値入力方法はこれに限定されず、１０キー等の他の操作部の操作で入力されてもよい。また、計量装置５で計量した食品の重量は、カロリー量表示手段８，歩数表示手段１１，報知手段１３による表示の前後、又はこれらの表示と共に表示部３に表示することができる。
【００３４】
上記第１の実施形態では、食品の総カロリー量を成分量とした場合について説明したが、成分量を計量する成分の種類は任意である。例えば、カルシウム，ビタミン，タンパク質，脂質，食物繊維，糖質等の成分量を計量してもよい。
【００３５】
上記第２の実施形態では、成分量算出手段７で総カロリー量が算出されると、その総カロリー量が表示部３に表示される構成としてもよい。また、総カロリー量から基礎代謝カロリー量を減算して得られるカロリー量を歩数算出手段１０が算出すると、そのカロリー量が表示部３に表示される構成としてもよい。
【００３６】
また、上記第３の実施形態では、歩数情報に含まれる歩数の情報や、歩数情報が示す歩数での消費カロリー量が表示部３に表示される構成としてもよい。また、報知手段１３での報知方法は表示部３への表示には限定されず、歩数計１４が備える表示部や出音部での報知を行うこともできる。また、歩数計１４からの歩数情報の送信方法も任意であり、無線や有線での送信が行える。また、上記各実施形態で入力した数値は、食品名等と共に登録できるようにしてもよい。
【００３７】
また、上記第３の実施形態では、報知手段１３が歩数情報に含まれる歩数が歩数算出手段１０で算出した歩数に達したか否かを判別した場合について説明した。しかしながら、報知手段１３は、歩数情報に含まれる歩数に基づき、食品の総カロリー量から基礎代謝カロリー量を減算したカロリー量が消費されたかを判別できればよい。例えば、報知手段１３は、歩数情報に含まれる歩数での消費カロリーを特定し、成分量算出手段７が算出した総カロリー量から基礎代謝カロリー量入力手段９で入力された基礎代謝カロリー量を減算したカロリー量に消費カロリー量が達したか否かを判別してもよい。
【００３８】
また、上記各実施形態では、食品に含まれる成分量に関連した情報の表示及び報知を行ったが、食品以外のものの成分量についての表示及び報知を行うこともできる。また、金等の単位重量当たりのレートを入力することで、計量用皿２に載置された金の価格を換算すること等もできる。また、上記各実施形態では、計量用皿２に食品が載置された状態でカロリー量や基礎代謝カロリー量が入力された場合について説明したが、カロリー量や基礎代謝カロリー量が入力されてから計量用皿２に食品が載置されるようにしてもよい。
【符号の説明】
【００３９】
１      秤
２      計量用皿
３      表示部
４１    「ＯＮ」キー
４２    「ＯＦＦ」キー
４３    「カロリー選択」キー
５      計量装置
６      成分量入力手段
７      成分量算出手段
８      成分量表示手段
９      基礎代謝カロリー量入力手段
１０    歩数算出手段
１１    歩数表示手段
１２    歩数情報受信手段
１３    報知手段
１４    歩数計
【図１】
2013140092.tif 000003
【図２】
2013140092.tif 000004
【図３】
2013140092.tif 000005
【図４】
2013140092.tif 000006